(57)【特許請求の範囲】
【請求項１】
水晶体を備えてなるタイプの眼を治療するための前眼房設置型のインプラントであって、
光学部材（１）と、該光学部材（１）に連結されたループ（３，４）と、を具備してなり、
各ループが、基端部における曲率半径（Ｒ１）および先端部における曲率半径（Ｒ２）という２つの曲率半径を有したアーク形状とされ、
前記基端側曲率半径（Ｒ１）の方が、前記先端側曲率半径（Ｒ２）よりも大きいものとされていることを特徴とするインプラント。
【請求項２】
請求項１記載のインプラントにおいて、
前記２つの曲率半径（Ｒ１，Ｒ２）の間の移行点が、当該ループの先端からの距離が、鉛直方向支持面（Ａ）に対して平行な方向において、当該ループの高さの約４分の１に等しい長さのところに位置していることを特徴とするインプラント。
【請求項３】
請求項１または２記載のインプラントにおいて、
前記支持面（Ａ）に対しての前記各ループの全体的傾斜角度（α）が、１３．５°〜１６°であることを特徴とするインプラント。
【請求項４】
請求項３記載のインプラントにおいて、
前記傾斜角度が、１２．５ｍｍという直径の包絡線に対して内接しているインプラントの場合には、１５．１２°であることを特徴とするインプラント。
【請求項５】
請求項１〜４のいずれかに記載のインプラントにおいて、
前記曲率半径の値が、前記基端側曲率半径（Ｒ１）については１０ｍｍ以上かつ３５ｍｍ以下であり、前記先端側曲率半径（Ｒ２）については２．５ｍｍであることを特徴とするインプラント。
【請求項６】
請求項１〜５のいずれか一項に記載のインプラントにおいて、
前記各ループを、虹彩角膜角の強膜岬および／または前房線維柱帯に対してのみ当接するものとして構成することを特徴とするインプラント。
【発明の詳細な説明】
【０００１】
【発明の属する技術分野】
本発明は、水晶体を備えてなるタイプの眼における症状を治療するための前眼房設置タイプのインプラントに関するものである。
【０００２】
【従来の技術】
そのようなインプラントは、公知なように、光学部材（レンズ）から構成されている。光学部材は、全体的に円形の外縁形状を有しており、矯正計画にとって適切な断面形状（平面、平凸、両凸、平凹、両凹、凹凸、トーラス）とされている。この光学部材には、光学部材の位置を前眼房内に固定することを意図した触覚部材が連結されている。触覚部材は、細くかつ変形可能なループからなるもので、使用時には、虹彩角膜角内に停留される。
【０００３】
近視の矯正を意図した上記のタイプのインプラントは、添付図面の図１，２，５に概略的に示されている。図１は平面図であり、図２は側面図であり、図５は、図１および図２に示すインプラントを眼内の所定位置に適用した様子を概略的に示す図である。
【０００４】
図１は、光学部材１と、この光学部材１の周囲に位置した連結ゾーン２と、全体的にＳ字形状とされた２つのループ３，４と、を示している。各ループ３，４は、先端部に、２つの支持脚５，６を有している。
【０００５】
図２には、光学部材１が凹形状タイプのものであること、また、ループ３，４が、光学部材１に対しての連結のための基端部から先端側支持部分に向けて、鉛直方向支持面Ａに対して、傾斜したものとされていること、が示されている。
【０００６】
角度αは、１５°の程度のものであって、この角度αは、光学部材１が前面側において角膜と接触することなくかつ後面側において虹彩と接触することなく眼の前眼房内に配置されることを保証することを意図したものである。
【０００７】
また、図２には、ループ３，４の先端部が、比較的長い部分にわたって鉛直面Ａと一致していることが示されている。
【０００８】
このインプラントは、幅（図１において、記号Ｌで示されている）が約５．５ｍｍであり、１２ｍｍ〜１３．５ｍｍという直径の包絡線（図１において、記号Ｄで示されている）に対して内接している。このようなインプラントは、屈折障害の治療を受ける大部分の患者の目の形状やサイズに適合するものである。
【０００９】
【発明が解決しようとする課題】
しかしながら、初期モデルにおいては、ループの先端部が虹彩の周縁部に当接することにより、かなりのケースにおいて、炎症（刺激）が発生した、
【００１０】
本発明の目的は、インプラントの適用対象をなす眼のサイズにかかわらず、ループの先端部が虹彩の周縁部に当接するというリスクを大幅に低減することによって、上記欠点を克服することである。
【００１１】
【課題を解決するための手段】
本発明においては、形状に関して、各ループは、２つの曲率半径を有したアーク形状とされており、これにより、虹彩角膜角内の面に当接させた状態でインプラントを配置することができるようになっている。
【００１２】
【発明の実施の形態】
本発明は、図３，４，６を参照しつつ、本発明を制限することのない実施形態についての以下の説明を援用することにより、より明瞭に理解されるであろう。
【００１３】
図３は、本発明による前眼房設置タイプの近視用インプラントを概略的に示す平面図である。
【００１４】
図４は、図３に示すインプラントの概略的な側面図である。
【００１５】
図６は、図３および図４に示すインプラントを眼内の所定位置に適用した様子を概略的に示す図である。
【００１６】
これらの図においては、図１および図２に示すインプラント構成部材に対応する部材については、同じ参照符号を付している。すなわち、光学部材１と、周縁連結部材２と、（平面視において）全体的にＳ字形状とされた２つのループ３，４と、が示している。
【００１７】
各ループ３，４は、図４に示す側面図においては、２つの曲率を有してなるアーク形状とされている。基端側の曲率半径（Ｒ１）の方が、先端側の曲率半径（Ｒ２）よりも大きいものとされている。一方の曲率半径から他方の曲率半径への移行点は、当該ループの先端からの距離が、支持面Ａに対して平行な方向において、当該ループの高さの約４分の１に等しい長さのところ（図４における記号Ｐ）に位置している。
【００１８】
支持面Ａに対してのループの全体的傾斜（図４における角度α）は、包絡線の直径が１２．５ｍｍであるようなインプラントにおいては、１３．５°〜１６°であって、好ましくは１５．１２°である。
【００１９】
曲率半径の値は、基端側の曲率半径（Ｒ１）については１０〜３５ｍｍであり、先端側の曲率半径（Ｒ２）については２．５ｍｍである。
【００２０】
これらの構成により、ループのヘッド（図４における記号Ｆ）は、支持面Ａから約１ｍｍのところに位置することとなり、光学部材のうちの、角膜に対して最も近いところは、１．６２ｍｍ（図６における記号Ｃ）のところに位置することとなる。このことは、眼球の変形の二次的影響としてのループの変形が起こったとしてもインプラントが角膜に対しても虹彩に対しても接触することがないことが保証される。
【００２１】
２つの曲率半径を有したアーク形状であることにより、虹彩角膜角の比較的強固な構造（強膜岬、前房線維柱帯）に対してのみ当接することとなる。
【００２２】
より詳細には、図５と対比しつつ、図６を参照すればわかるように、
−各ループの基端部が、大きな曲率半径（Ｒ１）を有するものとされていて、光学部材に対してほぼ平行である。よって、各ループの基端部は、虹彩からなるべく遠ざかるような位置に位置している。このため、ループと虹彩とが接触することのない瞳孔移動が可能である。
−各ループの先端部が、小さな曲率半径（Ｒ２）を有するものとされていて、前眼房の角度に対応して、ループの設置サイト内において実際に基端部に対して連結されている。
−よって、各ループは、虹彩１０と角膜内皮細胞１１との間の中間位置に配置される。
−虹彩角膜角内における各ループの支持面の接触面積が制限されたままであることにより、各ループの先端部と虹彩との間の全体的接触が防止され、よって、虹彩に対しての炎症反応（刺激反応）が制限される。
【００２３】
インプラントの実施形態として触覚部材が２つのループを備えているような実施形態について説明したけれども、本発明が、触覚部材のループ数にかかわらず、水晶体を備えてなるタイプの眼を治療するための任意の前眼房設置型インプラントに対して応用可能であることは、もちろんである。
【図面の簡単な説明】
【図１】  従来技術におけるインプラントを概略的に示す平面図である。
【図２】  図１に示すインプラントの概略的な側面図である。
【図３】  本発明による前眼房設置タイプの近視用インプラントを概略的に示す平面図である。
【図４】  図３に示すインプラントの概略的な側面図である。
【図５】  図１および図２に示すインプラントを眼内の所定位置に適用した様子を概略的に示す図である。
【図６】  図３および図４に示すインプラントを眼内の所定位置に適用した様子を概略的に示す図である。
【符号の説明】
１    光学部材
３    ループ
４    ループ
Ｒ１  基端側曲率半径
Ｒ２  先端側曲率半径
Ａ    鉛直方向支持面
【図１】
0004416943.tif 000002
【図３】
0004416943.tif 000003
【図２】
0004416943.tif 000004
【図４】
0004416943.tif 000005
【図５】
0004416943.tif 000006
【図６】
0004416943.tif 000007